(57)【要約】  本発明は、一辺のエッジ型ＢＬＵにおける色均一度及び輝度の低下問題を解消するために、光源の反対面のエッジに設ける光補正銀反射シートを提供することを目的とし、樹脂フィルムの上に銀薄膜層が形成された銀反射層と、前記銀反射層の両面のうちのいずれか一方の面に顔料と合成樹脂とを混合して形成した光補正層と、を備えるが、前記顔料として、ＬＣＤバックライトユニット（ＢＬＵ）に現れる色相の補色の顔料を用いて光補正を行うことを特徴とする。  【選択図】  図１
2019532316.tif 000002
【特許請求の範囲】
【請求項１】
樹脂フィルムの上に銀薄膜層が形成された銀反射層と、
前記銀反射層の両面のうちのいずれか一方の面に顔料と合成樹脂とを混合して形成した光補正層と、
を備え、
前記光補正層の顔料としては、青色顔料ＣＩ Ｂｌｕｅ１５：３と紫色顔料ＣＩ Ｖｉｏｌｅｔ２３との混合顔料を使用し、
前記合成樹脂は、Ｔｇが６０℃以上のポリエステルであり、
光補正後に、銀反射シートの５８０〜６００ｎｍの波長帯における反射率が８０〜８５％に調整され、
接着力が１，０００ｇｆ／２５ｍｍ以上の粘着層をさらに備え、
ＢＬＵの色均一度及び輝度を調整することを特徴とするＬＣＤのＢＬＵ用銀反射シート。
【請求項２】
前記銀反射シートの光補正後のＣＩＥ色座標は、ａ＊が−２．１〜−１．８であり、ｂ＊は、−５．５〜−４．０であることを特徴とする請求項１に記載のＬＣＤのＢＬＵ用銀反射シート。
【請求項３】
前記光補正層の厚さは、０．１〜１０μｍであることを特徴とする請求項１に記載のＬＣＤのＢＬＵ用銀反射シート。
【請求項４】
前記銀反射シートは、粘着層をさらに備えることを特徴とする請求項１に記載のＬＣＤのＢＬＵ用銀反射シート。
【請求項５】
前記粘着層の厚さは、１０〜５０μｍであることを特徴とする請求項１に記載のＬＣＤのＢＬＵ用銀反射シート。
【請求項６】
請求項１に記載のＬＣＤのＢＬＵ用銀反射シートを製造する方法において、
前記光補正層は、ポリエステル１０〜４０ｗｔ％、有機溶媒５５〜８８ｗｔ％、顔料０．１〜２ｗｔ％の割合で混合された光補正コーティング液を用いてコーティングして製造することを特徴とするＬＣＤのＢＬＵ用銀反射シートの製造方法。
【発明の詳細な説明】
【技術分野】
【０００１】
本発明は、液晶表示装置のバックライトユニット用光補正銀反射シートに係り、さらに詳しくは、一辺エッジ（ｅｄｇｅ）型バックライト構造における色均一度及び輝度の低下問題を解消するために光源の反対面のエッジに設ける光補正銀反射シートに関する。
【背景技術】
【０００２】
液晶表示装置のスリム化が進むことに伴い、直下型バックライト（ｂａｃｋｌｉｇｈｔ）に代えて、周縁部に光源を設けるエッジ（ｅｄｇｅ）型バックライトの開発が行われている。エッジ型バックライトは、コスト削減及び省エネ化を図るために光源を四面のうちの一辺に設け、さらなるコスト削減及び省エネ化を図るために、長一辺エッジ型バックライトではなく、図１に示す短一辺エッジ型バックライトの採択が増えている。
【０００３】
また、短一辺のバックライトだけではなく、ＬＣＤの大型化が進むことに伴い、エッジ型バックライトの光源とその反対側との距離が遠くなることに起因して、色均一度及び輝度など光均一度が低下してしまう現象が現れるという問題があり、光源の反対面に反射シートを設けて輝度を改善しようとする試みがあったが、依然として光源から遠ざかるにつれて色が黄色く変わり、しかも、輝度が低下してしまうという現象が生じている。
【０００４】
従来の反射シートとしては、白色顔料を塗布又は含有するＡＢＳ樹脂やポリカーボネート樹脂、ポリエステル樹脂の反射シートや銀反射シートが使われていた。白色顔料を含有する樹脂反射シートは、光反射率が低く、銀反射シートは、大気中の硫化物及び水分などと反応して黒く変色する現象によって反射率が低下して、防錆のための保護層が必要であるという問題がある。
【０００５】
特許文献１には、光の拡散反射率を高めるために、銀薄膜を積み重ねたプラスチックフィルム面に白色顔料を含む樹脂保護層を塗布することが開示されているが、色均一度の低下問題が依然として残っているため、短一辺又は大型化したエッジ型バックライトの構造に適用し難い。
【先行技術文献】
【特許文献】
【０００６】
【特許文献１】特開平６−１５７７４号公報
【発明の概要】
【発明が解決しようとする課題】
【０００７】
本発明は、短一辺又は大型のエッジ（ｅｄｇｅ）型バックライトユニット（ＢＬＵ：ｂａｃｋｌｉｇｈｔ ｕｎｉｔ）における色均一度及び輝度の低下問題を解消するために光源の反対面のエッジに設ける光補正銀反射シートを提供することを目的としている。
【課題を解決するための手段】
【０００８】
上記の目的を達成するための本発明に係るＬＣＤのＢＬＵ用銀反射シートは、樹脂フィルムの上に銀薄膜層が形成された銀反射層と、前記銀反射層の両面のうちのいずれか一方の面に顔料と合成樹脂とを混合して形成した光補正層と、を備えるが、前記光補正層は、ＬＣＤバックライトユニット（ＢＬＵ）に現れる色相の補色の顔料を用いて光補正を行うことにより、ＢＬＵの色均一度及び輝度を調整することを特徴とする。
【０００９】
前記合成樹脂は、ポリエステル樹脂であり、前記顔料の青色は、ＣＩ Ｂｌｕｅ１５：３であり、紫色は、ＣＩ Ｖｉｏｌｅｔ２３であることを特徴とする。
【００１０】
前記ポリエステル樹脂は、Ｔｇが６０℃以上であることを特徴とする。
【００１１】
前記銀反射シートは、５８０〜６００ｎｍの波長帯における反射率が８０〜８５％に調整されることを特徴とする。
【００１２】
前記銀反射シートの光補正後のＣＩＥ色座標は、ａ＊が−２．１〜−１．８であり、ｂ＊は、−５．５〜−４．０であることを特徴とする。
【００１３】
前記光補正層の厚さは、０．１〜１０μｍであり、前記銀反射シートは、粘着層をさらに備えていてもよく、厚さは、１０〜５０μｍであり、前記粘着層の接着力は、１，０００ｇｆ／２５ｍｍ以上であることを特徴とする。
【００１４】
本発明の他の実施形態によれば、光補正層は、ポリエステル１０〜４０ｗｔ％、有機溶媒５５〜８８ｗｔ％、顔料０．１〜２ｗｔ％の割合で混合された光補正コーティング液を用いてコーティングして製造することを特徴とする。
【００１５】
前記光補正コーティング液には、高分子系分散剤、消泡剤又はレベリング剤が０．２５〜３ｗｔ％さらに含まれることを特徴とする。
【００１６】
本発明のさらに他の実施形態によれば、長方形状の導光板の一辺の入光部に設けられた光源部及び前記光源部の向こう側の導光部の対光部に貼設された銀反射シートを備えるバックライトユニットを特徴とし、前記バックライトユニットを用いたＬＣＤを特徴とする。
【発明の効果】
【００１７】
本発明は、銀反射層又は銀を主成分とする銀合金反射層に光補正層を塗布することにより、輝度の均一性及び色相の均一度を向上させて高品位のＬＣＤバックライトを製造することができる。
【００１８】
また、銀反射シートに透明な粘着層を形成して、短一辺又は大型のバックライトの対光部の導光板又はモールドフレームに手軽に取り付けることができる。
【図面の簡単な説明】
【００１９】
【図１】本発明に係る短一辺バックライトの正面図である。
【図２】本発明に係る銀反射シートの部分断面図である。
【図３】本発明の他の実施形態に係る銀反射シートの部分断面図である。
【図４】本発明のさらに他の実施形態に係る銀反射シートの部分断面図である。
【図５】本発明の一実施形態に係る光補正層付き銀反射シートの反射率の管理を示すグラフである。
【図６】本発明の一実施形態に係る光補正層の厚さに伴う銀反射シートの反射率を示すグラフである。
【発明を実施するための形態】
【００２０】
樹脂フィルムの上に銀薄膜層が形成された銀反射層と、前記銀反射層の両面のうちのいずれか一方の面に顔料と合成樹脂とを混合して形成した光補正層と、を備えるが、前記光補正層の顔料としては、青色顔料ＣＩ Ｂｌｕｅ１５：３と紫色顔料ＣＩ Ｖｉｏｌｅｔ２３との混合顔料を使用し、前記合成樹脂は、Ｔｇが６０℃以上のポリエステルであり、光補正後に、銀反射シートの５８０〜６００ｎｍの波長帯における反射率が８０〜８５％に調整され、接着力が１，０００ｇｆ／２５ｍｍ以上の粘着層をさらに備えて、ＢＬＵの色均一度及び輝度を調整することを特徴とする。
【００２１】
以下、本発明の実施のための具体的な実施形態について図面に基づいて説明する。本発明の実施形態は、発明を説明するための一例に過ぎず、権利範囲は、例示された実施形態に何等限定されず、例示された図面は、発明の明確性のために核心的な内容のみを拡大して示し、付随的なものを省略したため、図面に限定して解釈してはならない。
【００２２】
図１は、本発明に係る短一辺バックライトの正面図である。長方形状の導光板２０の短一辺入光部２１には光源部１０が設けられ、光源部の向こう側の対光部２２には銀反射シート３０が設けられる。大型ディスプレイ用バックライトにおいては、光源部１０が長一辺２３に設けられてもよく、このときにも、導光板の幅が広くなって色均一度が問題視されるため、光源部の向こう側に銀反射シート３０が設けられる。
【００２３】
光源部１０は、光源、レフレクター及び支持体によって構成されて、導光板２０の一辺に光を入射させる。光源としては、ＬＥＤ又はＣＣＦＬなどを使用してもよいが、主としてＬＥＤが使用される。
【００２４】
導光板２０は、一辺に設けられた光源を受光して光を画面の全領域に亘って均一に分散させてＬＣＤに導く機能をし、ＢＬＵの輝度及び均一度を決定する。
【００２５】
銀反射シート３０は、導光板２０の対光部２２に貼設されて輝度及び色均一度を向上させる。
【００２６】
図２及び図３は、互いに異なる実施形態に係る銀反射シートの部分断面図である。銀反射シート３０の光補正層３３は、図２に示すように、銀薄膜層３２の上部に形成されてもよく、図３に示すように、銀薄膜層とは反対の面である樹脂フィルム３１の上に形成されてもよい。すなわち、光補正層３３は、銀反射層の両面のうちのいずれか一方の面に形成されてもよいため、銀薄膜層３２付き樹脂フィルム３１を「銀反射層」と称する。このとき、銀薄膜層が空気中に露出される場合には、防錆のための保護層を銀薄膜層に形成してもよい。
【００２７】
粘着層３４は、取り付ける方法に応じて、図２に示すように、光補正層３３の上に形成してもよく、図４に示すように、銀反射層の銀薄膜層３２の上に形成してもよい。導光板に直接的に取り付ける場合には、図２に示すように、光補正層３３の上に粘着層を形成し、モールドフレームを用いる場合には、図４に示すように、銀薄膜層３２の上に粘着層３４を形成してもよい。
【００２８】
銀反射層の反射率は、可視光領域（４００〜７００ｎｍ）においては９０％以上になるように製造する。好ましくは、４４０〜４６０ｎｍにおいては９２％以上になるようにし、５４０〜５６０ｎｍにおいては９５％以上になるようにし、７４０〜７６０ｎｍにおいては９６％以上になるようにすることが好ましい。
【００２９】
銀反射シート３０は、導光板２０の厚さよりも薄い幅に加工して貼り付け、厚さは、約０．１〜０．３ｍｍであり、０．１５〜０．２５ｍｍであることが好ましい。厚さがこれよりも薄くなると、貼り付けに際して撓んでしまうなどの不良が生じ、貼り付け直す作業のための時間のロス及び製品のロスが生じて貼り付け時間が長引いてしまい、これは、生産性の低下につながる。
【００３０】
樹脂フィルム３１は、ポリエチレンテレフタレート（ＰＥＴ）、ポリエーテルスルホン、ポリエステル、ポリ（メタ）アクリレート、ポリカーボネート、ポリアミド及びポリ塩化ビニールなどのホモポリマー又はこれらの樹脂のモノマーとアクリレート、ポリカーボネート、ポリアミド及びポリ塩化ビニールなどのホモポリマー又はこれらの樹脂のモノマーと共重合可能なモノマーとのコーポリマーなどから構成されるフィルムなどから選択して用いてもよく、好ましくは、ＰＥＴを用いる。
【００３１】
銀薄膜層３２は、ＰＥＴなどの樹脂フィルム３１の上に銀又は銀を主成分とする銀合金（以下、「銀」と称する。）を真空蒸着、スパッタリング蒸着で約７００〜２０００Åの厚さに形成したり、電子インキで印刷したりして形成する。
【００３２】
銀合金は、銀を主成分とし、金、パラジウム、銅、白金、インジウム、錫、ネオジウム、セリウムを用いてもよく、これに限定されるわけではない。
【００３３】
光補正層３３は、色均一度を補正するために樹脂に顔料を混合した光補正コーティング液を銀薄膜層の上に直接的に印刷する方式、又はスクリーン印刷、スプレイ印刷、グラビア印刷、マイクログラビアコーティング、スロットダイコーティング、コンマコーティング、バーコーティングなどの様々な方式で形成してもよく、コーティングされた表面が特性に影響を及ぼさない範囲内で適正な方式を選択して用いてもよい。
【００３４】
光補正コーティング液は、銀薄膜層３２との付着性に優れている必要があり、顔料の分散性及び利便性が良好でなければ、均一にコーティングすることができない。
【００３５】
本発明において、前記光補正コーティング液は、特定の色相の染料や顔料を用いて製造してもよいが、光学信頼性を維持するために顔料を使用することが好ましい。本発明においては、青色の顔料及び紫色の顔料などを混合して色均一度のための色相補正（光補正）を行い、青色の顔料は、ＣＩ Ｂｌｕｅ１５：３であることが好ましく、紫色の顔料は、ＣＩ Ｖｉｏｌｅｔ２３であることが好ましい。
【００３６】
前記光補正コーティング液の樹脂として、ポリエステル、メチルメタクリレート、エチルメタクリレート、イソブチルメタクリレート、ノーマルブチルメタクリレート、アクリル酸、メタクリル酸、ヒドロキシエチルメタクリレート、ヒドロキシプロピルメタクリレート、ヒドロキシエチルアクリレート、アクリルアミド、メチロールアクリルアミド、グリシジルメタクリレート、エチルアクリレート、イソブチルアクリレート、ノーマルブチルアクリレート、２−エチルヘキシルアクリレート重合体又は共重合体又は三元共重合体などのアクリル系、ポリウレタン系、エポキシ系、メラミン系の樹脂から選択されるいずれか一つの高分子材料又はこれらの混合物が使用可能であり、好ましくは、ポリエステルを使用する。さらに好ましくは、Ｔｇが６０℃以上のポリエステル樹脂を用い、これを用いてはじめて、原反のローリング作業に際して原反間のブロッキング（ｂｌｏｋｉｎｇ）を防ぐことができる。
【００３７】
前記光補正層３３は、ポリエステル系樹脂と、ＣＩ Ｂｌｕｅ１５：３の青色顔料及びＣＩ Ｖｉｏｌｅｔ２３の紫色顔料を用いた顔料成分を有機溶媒に混合して銀薄膜層にコーティングし、加熱し且つ乾燥させて硬化させることにより形成してもよい。顔料の混合比は、樹脂１００ｗｔ％に、青色顔料は１〜１０ｗｔ％を、紫色顔料は０．１〜５ｗｔ％を添加する。
【００３８】
光源から遠ざかる場合、波長が短い青色系の光が入光部側から次第に減衰されて、対光部側は青色の不足により三原色の適切な混合が行われず、黄色を帯びるため、銀反射シートの光補正層に黄色の補色関係にある青色系の顔料を入れて主として反射される光が青色になるように青色顔料で補償を行う。
【００３９】
前記有機溶媒は、前記高分子成分及び顔料成分を分散させ易く、相溶性が高い溶媒であれば、制限なしに使用可能であり、好ましくは、メチルエチルケトン（ＭＥＫ）、メチルイソブチルケトン（ＭＩＢＫ）などの有機ケトン系溶剤を含有して用いてもよい。
【００４０】
光補正コーティング液の一実施形態によれば、ポリエステル１０〜４０ｗｔ％、有機溶媒５５〜８８ｗｔ％、顔料０．１〜２ｗｔ％などから構成されてもよい。なお、高分子系分散剤と消泡剤、レベリング剤は、０．２５〜３ｗｔ％用いてもよい。
【００４１】
前記光補正層の厚さは、０．１〜１０μｍの厚さにコーティングしてもよい。薄過ぎたり厚過ぎたりする場合には、光補正効果がないかまたは強すぎるため、経済性を考慮した好適なコーティング厚さは、１〜６μｍである。しかしながら、反射率を調整してこの光学的な目的を達成できる限り、コーティング厚さを限定しなくてもよい。
【００４２】
前記銀反射シートを導光板２０の対光部２２に貼り付けることにより、対光部側が黄色く現れてしまうという現象を解決してＢＬＵを白色に均一にして輝度が向上するという効果がある。
【００４３】
図５は、銀反射シート３０の反射率の調整を示すグラフである。青色系（４９２〜４５５ｎｍ）の反射率が９５％以上であって、直観的に管理し難いため、補色関係を用いて黄色系（５８０〜６００ｎｍ）における反射率が８０％以上８５％以下になるように調整する。
【００４４】
原反のＣＩＥ色座標は、ａ＊が−２．１〜−１．８であり、ｂ＊は、−５．５〜−４．０である。
【００４５】
図５において、青色顔料の量が多いほど、ＢＢＢに向けて反射率グラフが移動して８２％以下になり、ＢＢよりも青色顔料が少なければ、コーティングの色相が薄くなってＢＢに向けて反射率グラフが移動して８５％以上になる。すなわち、ＢＢよりも少なければ、対光部側が黄色くなり、ＢＢＢよりも多ければ、青くなる。
【００４６】
前記光補正層３３の上面に導光板との貼り合わせのために透明粘着層３４を形成してもよい。
【００４７】
粘着層３４としては、ポリエステル系、アクリル系、ポリウレタン系、エポキシ系、メラミン系などの粘着剤を用いてもよいが、光学的に光のロスの少ないアクリル系の透明粘着剤を用いることが好ましい。さらに好ましくは、透光率が９０％以上であるアクリル系粘着剤を用いてもよい。
【００４８】
透明粘着層の粘着力が低過ぎると、貼り合わせの際に離脱され易いという現象があり、高過ぎると、粘着液が多くて加工性に劣る。本発明に適した粘着力は、１，０００ｇｆ／２５ｍｍ以上であることが好ましい。
【００４９】
透明粘着層の厚さは、薄過ぎる場合には、導光板との貼り合わせ力が弱いため引き剥がされてしまうという現象が生じ、厚すぎる場合には貼着性には優れているとはいえ、コストが上昇し、加工に際して粘着液が焼き付いてしまうことがあって、厚さは１０〜５０μｍにして使用してもよい。好ましくは、１２〜３０μｍである。さらに好ましくは、１５〜３０μｍである。このときに、貼着性及び加工性に優れている。
【００５０】
粘着剤による粘着液は、導光板に貼り付けた後に光漏れの現象が生じて製品の特性及び信頼性に重大な影響を及ぼすため、粘着液がないように管理することが非常に重要である。
【００５１】
本発明は、離型層３５をさらに備えていてもよい。離型層は、離型性付きフィルム製又は紙製の離型紙であってもよい。
【００５２】
本発明の光補正層の効果及び厚さに伴う影響を調べるために、下記のように実施例及び比較例でテストを行った。
［実施例１］
【００５３】
ポリエステル樹脂１００ｗｔ％及び有機溶媒を含むコーティング液に青色顔料ＣＩ Ｂｕｌｅ１５：３及び紫色顔料ＣＩ Ｖｉｏｌｅｔ２３を混合して、光補正コーティング液を製造した。樹脂１００ｗｔ％に、青色顔料は５ｗｔ％を、紫色顔料は０．１ｗｔ％を添加した。
【００５４】
波長５８０ｎｍ〜６００ｎｍにおける反射率が９５％以上であり、厚さが２００μｍである銀反射層の反射層の上面に光補正コーティング液をバーコーターを用いてコーティングした後、加熱しかつ乾燥させて、厚さが２μｍの光補正層を形成した。
【００５５】
ミノルタＣＭ−３６００ｄを用いて分光反射率を測定し、波長５８０〜６００ｎｍにおける反射率は、８３〜８５％であった。このとき、原反のＣＩＥ色座標は、ａ＊が−１．８５であり、ｂ＊は−４．６である。
【００５６】
光補正層の上面に透過率が９８％の透明なアクリル系粘着剤を２０μｍの厚さにコーティングした後、銀反射シートをＬＥＤ入光部とは反対の側である導光板の対光部に貼り付けた。
【００５７】
バックライトを点灯して目視で色相均一度を判定し、色彩輝度計ＢＭ７を用いて色差を測定した。
［比較例１］
【００５８】
比較例１は、実施例１において使用した銀反射層に光補正層を形成しなかった銀反射シートである。実施例１の方法と同様にして、ミノルタＣＭ−３６００ｄを用いて分光反射率を測定し、波長５８０ｎｍ〜６００ｎｍにおける反射率は、９５％〜９８％であった。
【００５９】
このとき、原反のＣＩＥ色座標は、ａ＊が−０．１４であり、ｂ＊は−２．２６である。
【００６０】
このシートの反射面の上面に実施例１と同じ透明なアクリル粘着剤を２０μｍの厚さにコーティングした後、導光板の対光部に貼り付けた後、実施例１の方法と同様にして測定した。実施例１の方法と同様にして、バックライトを点灯して目視で色相均一度を判定し、色彩輝度計ＢＭ７を用いて色差を測定した。
［実施例２］
【００６１】
実施例２においては、実施例１の方法と同様にして光補正層の厚さが４μｍになるようにコーティングした後、５８０〜６００ｎｍにおける反射率は８１〜８２％になるようにした。このとき、原反のＣＩＥ色座標は、ａ＊が−２．０７であり、ｂ＊は−５．２６である。
【００６２】
透明なアクリル粘着剤を厚さが２０μｍになるようにコーティングした後、実施例１の方法と同様にして測定した。
［比較例２］
【００６３】
比較例２においては、実施例１の方法と同様にして光補正層の厚さが０．３μｍになるようにコーティングした後、波長５８０〜６００ｎｍにおける反射率が８６〜８８％になるようにした。このとき、原反のＣＩＥ色座標は、ａ＊が−１．５０であり、ｂ＊は−３.５２である。
【００６４】
光補正層の上面に実施例１と同じ透明なアクリル粘着剤を２０μｍの厚さにコーティングした後、導光板の対光部に貼り付けて実施例１の方法と同様にして測定した。
［比較例３］
【００６５】
比較例３においては、実施例１の方法と同様にして、厚さが２００μｍである銀反射層の上面に光補正層の厚さが７μｍになるようにコーティングした後、波長５８０〜６００ｎｍにおける反射率が７８〜８０％になるようにした。このとき、原反のＣＩＥ色座標は、ａ＊が−２．３７であり、ｂ＊は−５．７４である。
【００６６】
光補正層の上面に実施例１と同じ透明なアクリル粘着剤を２０μｍの厚さにコーティングした後、導光板の対光部に貼り付けて実施例１の方法と同様にして測定した。
【００６７】
表１に光補正層の厚さに伴う測定結果を示す。図４は、光補正層の厚さに伴う反射率のグラフである。
【００６８】
【表１】
2019532316.tif 000003
透明アクリル粘着剤の厚さ及び粘着力の影響を調べるために実験を行った。
［実施例３］
【００６９】
実施例３においては、実施例１の光補正層を形成した後、波長５８０ｎｍ〜６００ｎｍにおける反射率が８３〜８５％になるように製作した反射シートの光補正層の上面に透明アクリル粘着剤を２０μｍの厚さにコーティングした後、粘着力（１８０°引き剥がし、ＫＳ規格）のテストを行った。このとき、粘着力は、１，１００ｇｆ／２５ｍｍである。
【００７０】
この試片を２ｍｍ×４５０ｍｍに切り出して導光板の対光部に貼り付けて点灯外観検査を行い、付着力の信頼性の評価のために温度８５℃、湿度８５％Ｒｈの環境にＢＬＵ状態で装入した後、アクリル粘着剤の付着状態を目視で確認した。
［比較例４］
【００７１】
比較例４においては、実施例３の方法と同様にして光補正層を製作した後、透過率が９８％以上の透明アクリル粘着剤で、厚さが５０μｍであり、粘着力が２，０００ｇｆ／２５ｍｍになるように製作した以外は、いずれも上記の方法と同様にして評価した。
［比較例５］
【００７２】
比較例５においては、実施例３の方法と同様にして光補正層を製作した後、透過率が９８％以上の透明アクリル粘着剤で、厚さが１０μｍであり、粘着力が９００ｇｆ／２５ｍｍになるように製作した以外は、いずれも上記の方法と同様にして評価した。
［実施例４］
【００７３】
実施例４は、実施例３の方法と同様にして光補正層を製作した後、透明アクリル粘着剤で、厚さが３０μｍであり、粘着力が２，０００ｇｆ／２５ｍｍになるように製作した以外は、いずれも上記の方法と同様にして評価した。
［比較例６］
【００７４】
比較例６においては、実施例３の方法と同様にして光補正層を製作した後、透明アクリル粘着剤で、厚さが３０μｍであり、粘着力が８５０ｇｆ／２５ｍｍになるように製作した以外は、いずれも上記の方法と同様にして評価した。
【００７５】
表２に透明アクリル粘着剤の厚さ及び粘着力に伴う測定結果を示す。
【００７６】
【表２】
2019532316.tif 000004
【産業上の利用可能性】
【００７７】
本発明の液晶表示装置のバックライトユニット用光補正銀反射シートは、銀反射層又は銀を主成分とする銀合金反射層に光補正層を塗布することにより、輝度の均一性及び色相の均一度を向上させ、高品位のＬＣＤバックライトを製造することができ、銀反射シートに透明な粘着層を形成して短一辺又は大型のバックライトの対光部の導光板又はモールドフレームに手軽に貼り付けることができて、産業上の利用可能性が非常に高い発明である。
【符号の説明】
【００７８】
１０ 光源部
２０ 導光板
３０ 銀反射シート
３１ 樹脂フィルム
３２ 銀薄膜層
３３ 光補正層
３４ 透明粘着層
３５ 離型層
【図１】
2019532316.tif 000005
【図２】
2019532316.tif 000006
【図３】
2019532316.tif 000007
【図４】
2019532316.tif 000008
【図５】
2019532316.tif 000009
【図６】
2019532316.tif 000010
【国際調査報告】
2019532316.tif 000011
2019532316.tif 000012
2019532316.tif 000013
2019532316.tif 000014